【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、前記方法は、
ビデオデータのサンプルを含むファイルを受信することと、ここにおいて、前記サンプルは、少なくとも１つのクリーンランダムアクセス（ＣＲＡ）ピクチャ、および／または少なくとも１つの切断リンクアクセス（ＢＬＡ）ピクチャを含む、
前記ファイルに含まれるビデオデータのサンプルについて、前記サンプルが同期サンプルであるかどうかを決定することと、
前記サンプルが同期サンプルでないと決定することに基づいて、前記サンプルのためのサンプルエントリ、前記サンプル、同期サンプルである復号順序で前のサンプル、または前記サンプルと、同期サンプルである復号順序で前記前のサンプルとの間の復号順序で生じるサンプルからのみ、前記サンプルの前記ビデオデータのためのパラメータセットデータを決定することと
を備え、
サンプルは、前記サンプルのビデオコーディングレイヤ（ＶＣＬ）ネットワークアブストラクションレイヤ（ＮＡＬ）ユニットが、前記サンプル中に含まれているコード化ピクチャが瞬時復号リフレッシュ（ＩＤＲ）ピクチャ、クリーンランダムアクセス（ＣＲＡ）ピクチャ、または切断リンクアクセス（ＢＬＡ）ピクチャであることを示す場合に同期サンプルと見なされる、方法。
【請求項２】
ビデオデータの第２のサンプルが同期サンプルであるかどうかを決定することと、
前記第２のサンプルが同期サンプルであると決定することに基づいて、前記第２のサンプルのためのサンプルエントリからまたは前記第２のサンプルからのみ前記第２のサンプルの前記ビデオデータのためのパラメータセットデータを決定することと
をさらに備える、請求項１に記載の方法。
【請求項３】
前記決定されたパラメータセットデータに基づいて前記サンプルの前記ビデオデータを復号することをさらに備える、請求項１に記載の方法。
【請求項４】
ビデオデータを符号化するための方法であって、前記方法は、
ビデオデータのサンプルを含むファイルを生成することと、ここにおいて、前記サンプルは、少なくとも１つのクリーンランダムアクセス（ＣＲＡ）ピクチャ、および／または少なくとも１つの切断リンクアクセス（ＢＬＡ）ピクチャを含む、
前記ファイルに含まれるべきビデオデータのサンプルについて、前記サンプルが同期サンプルであるかどうかを決定することと、
前記サンプルが同期サンプルでないと決定することに基づいて、前記サンプルのためのサンプルエントリ、前記サンプル、同期サンプルである復号順序で前のサンプル、または前記サンプルと、同期サンプルである復号順序で前記前のサンプルとの間の復号順序で生じるサンプル中にのみ、前記ビデオデータのためのパラメータセットデータを含めることと
を備え、
サンプルは、前記サンプルのビデオコーディングレイヤ（ＶＣＬ）ネットワークアブストラクションレイヤ（ＮＡＬ）ユニットが、前記サンプル中に含まれているコード化ピクチャが瞬時復号リフレッシュ（ＩＤＲ）ピクチャ、クリーンランダムアクセス（ＣＲＡ）ピクチャ、または切断リンクアクセス（ＢＬＡ）ピクチャであることを示す場合に同期サンプルと見なされる、方法。
【請求項５】
ビデオデータの第２のサンプルが同期サンプルであるかどうかを決定することと、
前記第２のサンプルが同期サンプルであると決定することに基づいて、前記第２のサンプルのためのサンプルエントリ中にまたは前記第２のサンプル中にのみ前記第２のサンプルの前記ビデオデータのためのパラメータセットデータを含めることと
をさらに備える、請求項４に記載の方法。
【請求項６】
前記サンプルが、高効率ビデオコーディング（ＨＥＶＣ）と、高効率スケーラブルビデオコーディング（ＳＨＶＣ）と、マルチビュー高効率ビデオコーディング（ＭＶ−ＨＥＶＣ）と、アドバンストビデオコーディング（ＡＶＣ）と、スケーラブルビデオコーディング（ＳＶＣ）と、マルチビュービデオコーディング（ＭＶＣ）とのうちの少なくとも１つに準拠する、請求項１または請求項４に記載の方法。
【請求項７】
前記パラメータセットデータに基づいて前記サンプルの前記ビデオデータを符号化することをさらに備える、請求項４に記載の方法。
【請求項８】
パラメータセットデータを含めることは、前記サンプルが同期サンプルでないと決定することに基づいて、および前記サンプルに関連するサンプルエントリ名に基づいて前記パラメータセットデータを含めることを備える、請求項１または請求項４に記載の方法。
【請求項９】
ビデオデータを復号するためのデバイスであって、前記デバイスは、
ビデオデータのサンプルを含むファイルを受信するための手段と、ここにおいて、前記サンプルは、少なくとも１つのクリーンランダムアクセス（ＣＲＡ）ピクチャ、および／または少なくとも１つの切断リンクアクセス（ＢＬＡ）ピクチャを含む、
前記ファイルに含まれるビデオデータのサンプルについて、前記サンプルが同期サンプルであるかどうかを決定するための手段と、
前記サンプルが同期サンプルでないと決定することに基づいて、前記サンプルのためのサンプルエントリ、前記サンプル、同期サンプルである復号順序で前のサンプル、または前記サンプルと、同期サンプルである復号順序で前記前のサンプルとの間の復号順序で生じるサンプルからのみ、前記ビデオデータのためのパラメータセットデータを決定するための手段と
を備え、
サンプルは、前記サンプルのビデオコーディングレイヤ（ＶＣＬ）ネットワークアブストラクションレイヤ（ＮＡＬ）ユニットが、前記サンプル中に含まれているコード化ピクチャが瞬時復号リフレッシュ（ＩＤＲ）ピクチャ、クリーンランダムアクセス（ＣＲＡ）ピクチャ、または切断リンクアクセス（ＢＬＡ）ピクチャであることを示す場合に同期サンプルと見なされる、デバイス。
【請求項１０】
前記デバイスが、
集積回路と、
マイクロプロセッサと、
ビデオデコーダを含むワイヤレス通信デバイスと
のうちの少なくとも１つを備える、および／または、
前記デバイスが、前記ビデオデータを表示するように構成されたディスプレイをさらに備える、請求項９に記載のデバイス。
【請求項１１】
前記パラメータセットデータに基づいて前記サンプルの前記ビデオデータを復号するための手段をさらに備える、請求項９に記載のデバイス。
【請求項１２】
ビデオデータを符号化するためのデバイスであって、前記デバイスは、
ビデオデータのサンプルが同期サンプルであるかどうかを決定するための手段と、
前記サンプルが同期サンプルでないと決定することに基づいて、前記サンプルのためのサンプルエントリ、前記サンプル、同期サンプルである復号順序で前のサンプル、または前記サンプルと、同期サンプルである復号順序で前記前のサンプルとの間の復号順序で生じるサンプル中にのみ、前記ビデオデータのためのパラメータセットデータを含めるための手段と
を備え、
サンプルは、前記サンプルのビデオコーディングレイヤ（ＶＣＬ）ネットワークアブストラクションレイヤ（ＮＡＬ）ユニットが、前記サンプル中に含まれているコード化ピクチャが瞬時復号リフレッシュ（ＩＤＲ）ピクチャ、クリーンランダムアクセス（ＣＲＡ）ピクチャ、または切断リンクアクセス（ＢＬＡ）ピクチャであることを示す場合に同期サンプルと見なされる、デバイス。
【請求項１３】
前記デバイスが、
集積回路と、
マイクロプロセッサと、
ビデオエンコーダを含むワイヤレス通信デバイスと
のうちの少なくとも１つを備える、および／または、
前記デバイスが、前記ビデオデータを取得するように構成されたカメラをさらに、請求項１２に記載のデバイス。
【請求項１４】
前記パラメータセットデータに基づいて前記サンプルの前記ビデオデータを符号化するための手段をさらに備える、請求項１３に記載のデバイス。
【請求項１５】
実行されると、１つまたは複数のプロセッサに請求項１−８のうちの何れか一項の方法を実行させる命令を記憶した非一時的コンピュータ可読媒体。